(57)【要約】【課題】クロップ撮影時に、動体被写体を撮影する場合にはファインダ視野の周辺領域を確認しやすくする。【解決手段】デジタルカメラの光学ファインダは、撮像素子の所定領域に含まれる画素から出力される画像データを記録するクロップ撮影機能を有するデジタルカメラの光学ファインダにおいて、クロップ撮影が設定されているとき、ファインダ視野のうちの領域であって、撮像素子の所定領域とは異なる無効領域を半透過にする半透過手段と、半透過手段を制御して、被写体の動きに関連するモードに応じて無効領域の透過率を設定する透過率制御手段とを備える。【選択図】図３
2012181323.tif 000002
【特許請求の範囲】
【請求項１】
撮像素子の所定領域に含まれる画素から出力される画像データを記録するクロップ撮影機能を有するデジタルカメラの光学ファインダにおいて、
前記クロップ撮影が設定されているとき、ファインダ視野のうちの領域であって、前記撮像素子の前記所定領域とは異なる無効領域を半透過にする半透過手段と、
前記半透過手段を制御して、被写体の動きに関連するモードに応じて前記無効領域の透過率を設定する透過率制御手段とを備えることを特徴とするデジタルカメラの光学ファインダ。
【請求項２】
請求項１に記載のデジタルカメラの光学ファインダにおいて、
前記透過率制御手段は、撮影光学系の焦点調節に関する第１モードが設定されている場合には、前記無効領域を低透過率に設定し、前記撮影光学系の焦点調節に関する前記第１モードとは異なる第２モードが設定されている場合には、前記無効領域を高透過率に設定し、
前記第１モードは、前記撮影光学系が合焦した後には焦点調節を停止するモードであり、前記第２モードは、前記撮影光学系が合焦した後であっても焦点調節を繰り返すモードであることを特徴とするデジタルカメラの光学ファインダ。
【請求項３】
請求項１に記載のデジタルカメラの光学ファインダにおいて、
前記透過率制御手段は、撮影光学系の被写界内に設けられた複数の焦点検出領域のうち所定の焦点検出領域の情報と前記所定の焦点検出領域以外の焦点検出領域の情報とを用いて前記撮影光学系の焦点調節を行う第３モードが設定されている場合には、前記無効領域を高透過率に設定することを特徴とするデジタルカメラの光学ファインダ。
【請求項４】
請求項１に記載のデジタルカメラの光学ファインダにおいて、
前記透過率制御手段は、移動している被写体の撮影に最適な撮影条件が設定される第１撮影モードが設定されている場合には、前記無効領域を高透過率に設定し、静止している被写体の撮影に最適な撮影条件が設定される第２撮影モードが設定されている場合には、前記無効領域を低透過率に設定することを特徴とするデジタルカメラの光学ファインダ。
【請求項５】
請求項４に記載のデジタルカメラの光学ファインダにおいて、
前記透過率制御手段は、前記１撮影モードおよび前記第２撮影モードとは異なる撮影モードが設定されている場合には、前記無効領域の透過率を前記高透過率と前記低透過率との中間の透過率に設定することを特徴とするデジタルカメラの光学ファインダ。
【発明の詳細な説明】
【技術分野】
【０００１】
本発明は、デジタルカメラの光学ファインダに関する。
【背景技術】
【０００２】
従来から、クロップ撮影時に、ファインダ視野内の無効領域を半透過率に設定するデジタルカメラの光学ファインダが知られている（たとえば特許文献１）。
【先行技術文献】
【特許文献】
【０００３】
【特許文献１】特開２００７−２６６２４４号公報
【発明の概要】
【発明が解決しようとする課題】
【０００４】
しかしながら、動体被写体を撮影する場合には、背景を確認しにくいため動体被写体を見失いやすくなるという問題がある。
【課題を解決するための手段】
【０００５】
請求項１に記載の発明による、撮像素子の所定領域に含まれる画素から出力される画像データを記録するクロップ撮影機能を有するデジタルカメラの光学ファインダは、クロップ撮影が設定されているとき、ファインダ視野のうちの領域であって、撮像素子の所定領域とは異なる無効領域を半透過にする半透過手段と、半透過手段を制御して、被写体の動きに関連するモードに応じて無効領域の透過率を設定する透過率制御手段とを備えることを特徴とする。
【発明の効果】
【０００６】
本発明によれば、クロップ撮影時に、ファインダ視野のうちの無効領域の透過率を、被写体の動きに関連するモードに応じて設定できる。
【図面の簡単な説明】
【０００７】
【図１】本発明の実施の形態によるデジタルカメラの縦断面図
【図２】実施の形態によるデジタルカメラの背面図
【図３】実施の形態によるデジタルカメラの制御系の要部構成を説明するブロック図
【図４】実施の形態によるファインダ視野の例を説明する図
【図５】第１の実施の形態による無効領域の透過率設定処理を説明するフローチャート
【図６】第１の実施の形態の変形例による無効領域の透過率設定処理を説明するフローチャート
【図７】第２の実施の形態による無効領域の透過率設定処理を説明するフローチャート
【発明を実施するための形態】
【０００８】
−第１の実施の形態−
図面を参照して、本発明による第１の実施の形態におけるカメラを説明する。図１は第１の実施の形態のデジタルカメラの構成を示すカメラの縦断面図であり、図２は本実施の形態のデジタルカメラの背面図である。第１の実施の形態のデジタルカメラ１は、交換レンズ２００とカメラボディ１００から構成され、交換レンズ２００はマウントを介してカメラボディ１００に着脱可能に装着されている。交換レンズ２００は、ズーミングレンズやフォーカシングレンズ等を含むレンズ２１１、絞り２１２および不図示のレンズＲＯＭなどを備えている。
【０００９】
カメラボディ１００は、撮像素子１０２、可動ミラー１２１、焦点板１２２、拡散型液晶１２３、ペンタプリズム１２４、接眼レンズ１２５、プリズム１２６、測光レンズ１２７、測光センサ１２８、ファインダ内液晶１２９、ファインダ内バックライト１３０、焦点検出センサ１３１、シャッタ１３２、ローパスフィルタ１３３、撮像基板１３４および背面液晶モニタ１３５を備える。また、図２に示すように、カメラボディ１００の背面には、背面液晶モニタ１３５の近傍にＡＦエリアセレクトボタン１３６が設けられ、カメラボディ１００の上部には撮影モードダイヤル１３７が設けられている。
【００１０】
図３は交換レンズ２００が装着されたときのデジタルカメラ１の要部構成を示すブロック図である。なお、図３においては、図１、図２に示した構成と同一の構成には同一の符号を付与している。デジタルカメラ１は、制御回路１０１、撮像素子１０２、ＳＤＲＡＭ１０６、背面液晶制御回路１０８、ファインダ内表示制御回路１０９、スーパーインポーズ表示制御回路１１０、測光回路１１１、露出制御回路１１２、シャッタ制御部１１３、絞り制御部１１４、レンズ情報入力回路１１５、焦点検出回路１１６、レンズ駆動回路１１７、モード設定回路１１８、設定操作部材１１９および加速度センサ１２０を備えている。撮像基板１３４は撮像素子１０２の後方に配置されている。撮像基板１３４には、撮像素子１０２、Ａ／Ｄ変換回路１０３、タイミング回路１０４、画像処理制御回路１０５、図示しない温度センサ等が配置されている。
【００１１】
図１を参照して説明すると、交換レンズ２００を通過してデジタルカメラ１に入射した被写体光の一部は、シャッタレリーズ前は図１において実線で示すように位置する可動ミラー１２１で上方に導かれて焦点板１２２に結像する。焦点板１２２に結像した被写体像は拡散型液晶１２３を介して、ペンタプリズム１２４により接眼レンズ１２５へ導かれてユーザに観察されるとともに、プリズム１２６、測光レンズ１２７を介して測光センサ１２８へ導かれてその撮像面上に被写体像が結像する。
【００１２】
デジタルカメラ１に入射した被写体光の他の一部は、可動ミラー１２１の半透過領域を通過し、サブミラー１２１ａにより下方に反射され、焦点検出センサ１３１へ入射される。レリーズ後は、可動ミラー１２１が図１の破線で示される位置へ回動し、被写体光がシャッタ１３２およびローパスフィルタ１３３を介して撮像素子１０２へ導かれ、その撮像面上に被写体像が結像する。被写体光は焦点検出センサ１３１により光電変換され、焦点検出回路１１６に出力される。焦点検出センサ１３１は、ファインダ視野内で焦点検出エリアが配列された位置に応じて配置されている。
【００１３】
図３を参照して制御系について詳細に説明する。
制御回路１０１は、マイクロコンピュータであり、デジタルカメラ１の各構成要素を制御したり、各種のデータ処理を実行する演算回路である。撮像素子１０２は、たとえばＣＣＤやＣＭＯＳ等の光電変換素子により構成される。複数の光電変換素子が二次元のマトリックス状に配列されることにより撮像面を構成する。撮像素子１０２は、タイミング回路１０４から出力される駆動信号によって所定の動作タイミングで駆動され、レンズ２１１を通して入力される被写体像を撮像し、撮像して得た画像信号をＡ／Ｄ変換回路１０３へ出力する。撮像素子１０２の撮像面には、それぞれＲ（赤）、Ｇ（緑）およびＢ（青）のカラーフィルタが画素位置に対応するように設けられている。撮像素子１０２がカラーフィルタを通して被写体像を撮像するため、撮像素子１０２から出力される画像信号はＲＧＢ表色系の色情報を有する。
【００１４】
Ａ／Ｄ変換回路１０３は、タイミング回路１０４から出力される駆動信号によって所定の動作タイミングで駆動され、撮像素子１０２から出力されたアナログの画像信号をデジタルの画像信号に変換する。画像処理制御回路１０５では、入力されたデジタルの画像信号に対して、ホワイトバランス調整、シャープネス調整、ガンマ補正、階調調整などの画像処理が施され画像データとして出力される。この画像データは、ＪＰＥＧ形式などの方式により圧縮された後、揮発性記憶媒体であるＳＤＲＡＭ１０６に一時的に格納されたり、画像用記録媒体１０７にＥＸＩＦなどのファイル形式で記録されるとともに、背面液晶制御回路１０８の制御により、図２の背面液晶モニタ１３５に表示される。画像用記録媒体１０７は、たとえばコンパクトフラッシュ（登録商標）やＳＤカードなどの不揮発性の半導体メモリカードである。
【００１５】
測光回路１１１は、図１の測光センサ１２８から得られた測光信号をＡ／Ｄ変換して制御回路１０１へ出力する。デジタル変換された測光信号は露出制御回路１１２へ入力され、被写体の輝度および撮像感度に基づいてシャッタスピードと撮影レンズ２の絞り値が露出制御回路１１２により演算される。そして、露出制御回路１１２は、演算結果をシャッタ制御部１１３と絞り制御部１１４へ出力することにより、シャッタスピードと絞り値を制御する。
【００１６】
焦点検出回路１１６は、焦点検出センサ１３１から出力される対の光像に応じた焦点検出信号に対してＡ／Ｄ変換を施した後、レンズ２１１の焦点調節状態、ここではデフォーカス量を検出する。そして、焦点検出回路１１６は、検出したデフォーカス量に基づいて、レンズ２１１に含まれるフォーカシングレンズの合焦位置を検出し、焦点調節状態を示す信号を制御回路１０１へ出力する。
【００１７】
レンズ駆動回路１１７は、レンズ情報入力回路１１５を介して入力された交換レンズ２００の開放絞り値、焦点距離、射出瞳などのレンズ情報と、焦点検出回路１１６より得られた焦点調節状態とに基づいてレンズを駆動させるレンズ駆動信号をレンズ駆動装置（不図示）へ出力する。
【００１８】
加速度センサ１２０は、カメラボディ１００に働く振動を検出して、検出信号を制御回路１０１へ出力する。制御回路１０１は、入力した検出信号を用いて、ユーザがデジタルカメラ１を手で保持して撮影を行っているのか、たとえば三脚等に固定して撮影を行っているのか、構図を変更するためにユーザがカメラボディ１００を動かしているのか等を判定するための水準器表示を行う。
【００１９】
半押しスイッチＳ１はレリーズボタンの第一ストロークに連動してオン信号をＭＣＵ１０１へ出力し、全押しスイッチＳ２はレリーズボタンの第二のストロークに連動してオン信号を制御回路１０１へ出力する。
【００２０】
モード設定回路１１８は、デジタルカメラ１の各種モードの設定を行う。各種のモードとしては、たとえば、撮影モードとして単写モードや連写モード、動画モードの設定、スルー画モードの設定や、露出モードとしてＭ（マニュアル）モードやＡ（絞り優先）モード、Ｐ（プログラム）モード、Ｓ（シャッタスピード優先）モードなどが含まれる。さらに、上記の各モードに加えて、撮影モードにはシーンモードや後述するクロップ撮影モードが含まれる。シーンモードでは、撮影シーンに合わせて撮影モードを選択してレリーズボタンを押下操作することによって撮影を行うことができる。シーンモードには、たとえばポートレートモード、スポーツモード、ペット撮影モード、風景モード、クローズアップモード等が含まれる。クロップ撮影モードは、撮像素子１０２の中央部付近に限定された領域に配列された画素からの出力を用いて画像データを生成することにより、撮像素子１０２の全領域に配列された画素からの出力を用いる場合と比べて、コマ速を高速にするモードである。これら各種モードの設定操作は撮影モードダイヤル１３７の設定操作により行われる。
【００２１】
さらに、モード設定回路１１８は、焦点検出を行う際の焦点検出エリアの選択に関する各種のＡＦエリアモードの設定を行う。ＡＦエリアモードとしては、たとえばシングルエリアＡＦモード、ダイナミックＡＦエリアモード、オートエリアＡＦモードなどが含まれる。これら各種のＡＦエリアモードの設定操作は、ＡＦエリアセレクトボタン１３６の設定操作により行われる。シングルエリアＡＦモードは、複数の焦点検出エリアの内、ユーザがＡＦエリアセレクトボタン１３６により選択した１点の焦点検出エリアのみでレンズ２１１の焦点検出を行い、その結果にしたがって撮影レンズの焦点調節を行うＡＦエリアモードである。したがって、シングルエリアＡＦモードは静止被写体の撮影に効果的なＡＦエリアモードである。ダイナミックＡＦエリアモードは、ピントを合わせたい被写体が選択した焦点検出エリアから一時的に外れても、他の焦点検出エリアの中から選択エリアと同様な焦点検出結果が得られた焦点検出エリアを検索する。そして、その焦点検出エリアを選択した焦点検出エリアの「代替エリア」として被写体を捕捉し続けるＡＦモエリアードであり、移動被写体を追い続ける撮影に効果的なＡＦエリアモードである。
【００２２】
設定操作部材１１９は、各種設定操作を行なう操作スイッチであり、設定内容に応じた操作信号が制御回路１０１へ出力される。設定操作部材１１９の操作により、たとえばＡＦモードの設定が行われる。ＡＦモードとしては、ＡＦ−Ｃ、ＡＦ−Ｓ、ＡＦ−Ｍ等が含まれる。ＡＦ−Ｃでは、所定周期ごとに焦点検出センサ１３１から焦点検出信号を入力するごとにレンズ２１１の焦点調節状態、すなわちデフォーカス量が算出されるモードであり、一般的には、動きのある被写体を撮影する場合にユーザによって設定されるモードである。ＡＦ−Ｓでは、撮影準備動作時に焦点検出回路１１６による初回の処理で検出された合焦位置でフォーカシングレンズの駆動を固定（ロック）するモードであり、ユーザにより静止した被写体を撮影する場合に設定されるモードである。
【００２３】
ファインダ内表示制御回路１０９は、ファインダ内液晶１２９とファインダ内バックライト１３０とを制御する。ファインダ内液晶１２９は、ファインダ内表示制御回路１０９に制御されて、ファインダ画面外下部に撮影に関する露出制御値や露出モード、露出補正値などの撮影に関する種々の情報を表示する。ファインダ内バックライト１３０は、ファインダ内表示用液晶１２９を照明するための光源である。
【００２４】
スーパーインポーズ表示制御回路１１０は、拡散型液晶１２３を制御して、ファインダ視野内に、焦点検出エリアの位置を示すフォーカスポイント（たとえば５１点）の表示と、後述するクロップ撮影時における切出領域（有効領域）の表示とを行わせる。図４にファインダ視野の表示の一例を示す。図４（ａ）は、拡散型液晶１２３に５１点の焦点検出エリア２０２が全て点灯されている状態を示している。なお、図４（ａ）は、通常撮影モードが設定された場合、すなわちクロック高速撮影モードが設定されていない場合の拡散型液晶１２３の表示態様を示している。通常の撮影においては、ユーザにより焦点検出用に選択された焦点検出エリアや、合焦している焦点検出エリア以外の焦点検出エリア２０２は消灯している。そのため、ファインダ視野内に焦点検出エリア２０２が存在する領域をユーザが確認できるようにするため、拡散型液晶１２３には刻線２０１が表示される。
【００２５】
拡散型液晶１２３は、たとえばポリマーネットワーク型液晶（ＰＮ液晶）により構成され、光が拡散する拡散状態、すなわち透過率が低い状態（非透過状態）であるが、印加される電圧に応じて光の透過率が変化し、高電圧が印加されるほど透過率が高くなる特性を有する。すなわち、スーパーインポーズ表示制御回路１１０は、拡散型液晶１２３へ印加する電圧値を制御することにより拡散型液晶１２３の透過率を変更する。拡散型液晶１２３は、図示しないＬＥＤによって、被写体輝度に応じた光量で照明される構成を有している。なお、拡散型液晶１２３は、ＰＮ液晶に限定されず、液晶の拡散、透過を制御可能な表示素子を備える表示デバイスにより構成できる。
【００２６】
図４（ｂ）、（ｃ）にクロップ撮影モードが設定された場合の拡散型液晶１２３の表示態様を示す。クロップ撮影モードでは、被写界の中心部の所定領域である有効領域Ｒ１と、被写界の周辺部、すなわち有効領域Ｒ１の外部に設けられた無効領域Ｒ２とがユーザによって明確に視認可能となるように、拡散型液晶１２３が制御される。撮像素子１０２の全領域のうち有効領域Ｒ１に対応した領域に配列された画素から出力された画像信号は、上述した画像処理制御回路１０５による画像データの生成に用いられ、画像用記録媒体１０７に記録される。撮像素子１０２の全領域のうち無効領域Ｒ２に対応した領域に配列された画素から出力された画像信号に対応する画像データは画像用記録媒体１０７には記録されない。
【００２７】
スーパーインポーズ表示制御回路１１０は、拡散型液晶１２３を制御して、無効領域Ｒ２に対応する領域の透過率を有効領域Ｒ１に対応する領域の透過率を低く設定する。換言すると、スーパーインポーズ表示制御回路１１０は、拡散型液晶１２３の全領域のうち、無効領域Ｒ２に対応する領域に、有効領域Ｒ１に対応する領域よりも低い電圧を印加する。図４（ｂ）、（ｃ）では、無効領域Ｒ２の透過率が低く設定された様子を、無効領域Ｒ２に斜線を付して示している。なお、スーパーインポーズ表示制御回路１１０からの電圧は、拡散型液晶１２３の有効領域Ｒ１に対応する領域および無効領域Ｒ２に対応する領域にそれぞれ設けられた図示しない信号端子を介して印加される。
【００２８】
さらに、本実施の形態のクロップ撮影モードでは、ユーザにより設定されたモードに基づいて、静止被写体を撮影するのか、動きのある被写体（動体被写体）を撮影するのかを判定し、判定結果に応じて無効領域Ｒ２の透過率が異なるように拡散型液晶１２３が制御される。静止被写体を撮影する場合には、無効領域Ｒ２の透過率を低くすることにより、すなわち背景を確認しにくくすることにより、ユーザは背景を気にすることなく有効領域Ｒ１内の被写体の撮影に集中できる。この場合、有効領域Ｒ１の透過率を１００パーセントとしたとき、無効領域Ｒ２の透過率がたとえば３０パーセントとなるように拡散型液晶１２３に電圧が印加される。動体被写体を撮影する場合には、無効領域Ｒ２の透過率を高くして、すなわち背景を確認しやすくして、ユーザによる動体被写体の動きに対応した構図の決定を容易にさせる。この場合、有効領域Ｒ１の透過率を１００パーセントとしたとき、無効領域Ｒ２の透過率がたとえば７０パーセントとなるように拡散型液晶１２３に電圧が印加される。
【００２９】
図４（ｂ）には、静止被写体を撮影する場合のファインダ視野の様子を示し、図４（ｃ）には、動体被写体を撮影する場合のファインダ視野の様子を示す。図４（ｂ）、（ｃ）においては、無効領域Ｒ２に付した斜線の間隔を異ならせることにより無効領域Ｒ２の透過率が異なることを模式的に示している。すなわち、斜線の間隔が広い図４（ｃ）の方が図４（ｂ）に示す場合よりも無効領域Ｒ２の透過率が高いこと、換言すると背景が確認しやすいことを示している。なお、通常撮影モードが設定されている場合には、有効領域Ｒ１と無効領域Ｒ２との透過率を高く設定して、ユーザによりファインダ視野全体を確認可能にさせる。
【００３０】
以下、クロップ撮影モードが設定された場合に、無効領域Ｒ２の透過率を異ならせるための処理について説明する。制御回路１０１は、被写体の動きに関するモード、すなわちユーザによる操作に応じてモード設定回路１１８によって設定された各種のＡＦモードに応じて、静止被写体の撮影か動体被写体の撮影かを判定する。制御回路１０１は、以下のＡＦエリアモード、ＡＦモードが設定されている場合に、動体被写体が撮影されるものと判定する。換言すると、動体被写体の撮影に適した焦点検出に関連するモードが設定されている場合に、制御回路１０１は、動体被写体が撮影されると判定する。
（１）ＡＦ−Ｃ
（２）ダイナミックＡＦエリアモード
【００３１】
上記２つのモードが設定されている場合、制御回路１０１は、スーパーインポーズ表示制御回路１１０に指令して、拡散型液晶１２３の無効領域Ｒ２に対応する領域を高い透過率（高透過率）に設定させる。この場合、スーパーインポーズ表示制御回路１１０は、拡散型液晶１２３の無効領域Ｒ２に対応する領域に高い電圧を印加する。その結果、図４（ｃ）に示すように、無効領域Ｒ２の透過率が高くなり、ユーザによる背景の確認が容易になる。
【００３２】
ＡＦ−ＣおよびダイナミックＡＦエリアモードのいずれも設定されていない場合、制御回路１０１は、静止被写体の撮影であると判定する。この場合、制御回路１０１は、スーパーインポーズ表示制御回路１１０に指令して、拡散型液晶１２３の無効領域Ｒ２に対応する領域を低い透過率（低透過率）に設定させる。すなわち、スーパーインポーズ表示制御回路１１０は、拡散型液晶１２３の無効領域Ｒ２に対応する領域に低い電圧を印加する。その結果、図４（ｂ）に示すように無効領域Ｒ２の透過率が低くなり、ユーザは背景を気にすることなく有効領域Ｒ１内の被写体の構図決定、および撮影に集中できる。
【００３３】
図５に示すフローチャートを用いて、第１の実施の形態によるデジタルカメラ１の無効領域の透過率設定処理について説明する。図５の各処理は制御回路１０１でプログラムを実行して行われる。図５の各処理を行なうプログラムはメモリ（不図示）に格納されている。ユーザにより電源ボタンが操作されると制御回路１０１によりプログラムが起動され、実行される。
【００３４】
ステップＳ１０１においては、クロップ撮影モードが設定されているか否かを判定する。クロップ撮影モードが設定されている場合には、ステップＳ１０１が肯定判定されてステップＳ１０２へ進む。クロップ撮影モードが設定されていない場合には、ステップＳ１０１が否定判定されて処理を終了する。
【００３５】
ステップＳ１０２においては、ＡＦモードがＡＦ−Ｃに設定されているか否かを判定する。ＡＦ−Ｃが設定されている場合には、ステップＳ１０２が肯定判定されてステップＳ１０３へ進む。ＡＦモードがＡＦ−Ｓに設定されている場合には、ステップＳ１０２が否定判定されてステップＳ１０５へ進む。
【００３６】
ステップＳ１０３では、ＡＦエリアモードとしてダイナミックＡＦエリアモードが設定されているか否かを判定する。ダイナミックＡＦエリアモードが設定されている場合には、ステップＳ１０３が肯定判定されてステップＳ１０４へ進む。ステップＳ１０４においては、動体被写体が撮影されるものと見なし、無効領域Ｒ２を高透過率に設定して処理を終了する。この結果、スーパーインポーズ表示制御回路１１０は、拡散型液晶１２３の無効領域Ｒ２に対応する領域に高い電圧を印加するので、無効領域Ｒ２の透過率が高くなる。
【００３７】
ＡＦエリアモードとして、ダイナミックＡＦエリアモード以外のＡＦエリアモードが設定されている場合には、ステップＳ１０３が否定判定されてステップＳ１０５へ進む。ステップＳ１０５では、静止被写体が撮影されるものと見なし、無効領域Ｒ２を低透過率に設定して処理を終了する。この結果、スーパーインポーズ表示制御回路１１０は、拡散型液晶１２３の無効領域Ｒ２に対応する領域に低い電圧を印加するので、無効領域Ｒ２の透過率が低くなる。
【００３８】
以上で説明した第１の実施の形態のデジタルカメラによれば、以下の作用効果が得られる。
（１）本実施の形態のデジタルカメラ１は、撮像素子１０２の所定領域に含まれる画素から出力される画像データを記録するクロップ撮影機能を有するようにした。拡散型液晶１２３は、クロップ撮影が設定されているとき、ファインダ視野のうちの領域であって、撮像素子１０２に対応する領域であって、有効領域Ｒ１とは異なる無効領域Ｒ２を半透過にする。そして、制御回路１０１は、拡散型液晶１２３を制御して、被写体の動きに関連するモードに応じて無効領域Ｒ２の透過率を設定するようにした。換言すると、制御回路１０１は、動体被写体を撮影する場合と静止被写体を撮影する場合とにおいて、無効領域Ｒ２を異なる透過率に設定する。その結果、ユーザは撮影の状況に応じて有効領域Ｒ１の周辺部を確認しつつ構図を決定したり、周辺部の影響を受けず有効領域Ｒ１内の被写体に集中して撮影を行うことが可能になる。
【００３９】
（２）制御回路１０１は、交換レンズ２００の焦点調節に関して、合焦した後には焦点調節を停止するＡＦ−Ｓが設定されている場合には、無効領域Ｒ２を低透過率に設定し、合焦した後でも焦点調節を繰り返すＡＦ−Ｃが設定されている場合には、無効領域Ｒ２を高透過率に設定するようにした。すなわち、静止被写体を撮影する可能性が高いＡＦ−Ｓが設定されている場合には、無効領域Ｒ２が低透過率に設定されるので、ユーザは周辺部の影響を受けることなく有効領域Ｒ１内の被写体の撮影に集中することができる。さらに、動体被写体を撮影する可能性が高いＡＦ−Ｃが設定されている場合には、無効領域Ｒ２が高透過率に設定されるので、ユーザは周辺部の様子を確認しつつ、動体被写体の動きを見失うことなく撮影できる。
【００４０】
（３）制御回路１０１は、交換レンズ２００の被写界内に設けられた複数の焦点検出エリア２０２のうち所定の焦点検出領域の情報と所定の焦点検出領域以外の焦点検出領域の情報とを用いて焦点調節を行うダイナミックＡＦエリアモードが設定されている場合には、無効領域Ｒ２を高透過率に設定するようにした。したがって、動体被写体を撮影する可能性が高いダイナミックＡＦエリアモードが設定されている場合には、無効領域Ｒ２が高透過率に設定されるので、ユーザは動体被写体の動きが激しい場合であっても、動体被写体を見失うことなく、その動きに追従して撮影することができる。
【００４１】
上述した第１の実施の形態のデジタルカメラを、次のように変形できる。
（１）ユーザにより設定されたＡＦモードとＡＦエリアモードとに加え、制御回路１０１は、加速度センサ１２０により検出された加速度をも用いて動体被写体の撮影か否かを判定してもよい。この場合、制御回路１０１は、ＡＦ−ＣおよびダイナミックＡＦエリアモードが設定されているときに、加速度センサ１２０から入力した検出信号に基づいて、カメラボディ１００に加わる加速度が所定値以上か否かを判定する。加速度が所定値以上の場合には、制御回路１０１は、無効領域Ｒ２の透過率を高透過率に設定する。加速度が所定値未満の場合には、制御回路１０１は、無効領域Ｒ２の透過率を低透過率に設定する。その結果、動体被写体を撮影するモードが設定されている状態で、かつ加速度が高い場合には、すなわちユーザが激しい運動をしている動体被写体を撮影していると見なされる場合には、ユーザによる背景の確認を容易にさせることができる。なお、上記の所定値は、動体被写体の動きに追従してカメラボディ１００を動かしていると判定するために適した値であり、実験等により算出され、予め不図示のメモリ等に記録されているものとする。ただし、加速度が所定値以上の状態から所定値未満の状態へ変化した場合は、ヒステリシスを設けることにより、制御回路１０１が無効領域Ｒ２の透過率を急激に変更しないようにすることが好ましい。
【００４２】
この場合の制御回路１０１の処理を図６のフローチャートを用いて説明する。図６に示す処理は、図５のフローチャートの処理と同様に、制御回路１０１でプログラムを実行して行われる。図５の各処理を行なうプログラムはメモリ（不図示）に格納されている。ユーザにより電源ボタンが操作されると制御回路１０１によりプログラムが起動され、実行される。
【００４３】
ステップＳ２０１（クロップ撮影モードの設定判定）からステップＳ２０３（ダイナミックＡＦエリアモードが設定）までの処理は、図５のステップＳ１０１（クロップ撮影モードの設定判定）とステップＳ１０３（ダイナミックＡＦエリアモードが設定）と同様である。ただし、ステップＳ２０２（ＡＦ−Ｃ設定判定）およびステップＳ２０３が否定判定された場合には、ステップＳ２０６へ進む。ステップＳ２０３が肯定判定されるとステップＳ２０４へ進み、加速度センサ１２０から入力した検出信号が示す加速度が所定値以上か否かを判定する。加速度が所定値以上の場合には、ステップＳ２０４が肯定判定されてステップＳ２０５へ進む。加速度が所定値未満の場合には、ステップＳ２０４が否定判定されてステップＳ２０６へ進む。ステップＳ２０５（無効領域Ｒ２を高透過率に設定）およびステップＳ２０６（無効領域Ｒ２を低透過率に設定）の処理は、図５のステップＳ１０４（無効領域Ｒ２を高透過率に設定）およびステップＳ１０５（無効領域Ｒ２を低透過率に設定）と同様である。
【００４４】
（２）制御回路１０１は、ＡＦ−ＣおよびダイナミックＡＦエリアモードの設定に基づいて、動体被写体の撮影と判定したときに、カメラボディ１００に加わる加速度が所定値以上の場合には、無効領域Ｒ２を高透過率よりもさらに所定の割合高い透過率に設定してもよい。すなわち、ＡＦ−ＣおよびダイナミックＡＦエリアモードが設定され、無効領域Ｒ２の透過率が有効領域Ｒ１の７０パーセントに設定された状態で、加速度が所定値以上と判定されると、制御回路１０１は、無効領域Ｒ２の透過率を有効領域Ｒ１のたとえば８０パーセントにすればよい。
【００４５】
（３）ＡＦ−Ｃが設定されている場合には、無効領域Ｒ２の透過率を有効領域Ｒ１の透過率の所定パーセントとし、ダイナミックＡＦエリアモードが設定されている場合には、無効領域Ｒ２の透過率を有効領域Ｒ１の透過率の所定パーセントとしてもよい。換言すると、それぞれのモードの設定によって、制御回路１０１が無効領域Ｒ２の透過率への寄与度を決定するようにしてもよい。
【００４６】
（４）ダイナミックＡＦエリアモードにおいて、代替エリアとなりうる焦点検出エリア（候補エリア）の数がユーザによって選択可能に構成されている場合、制御回路１０１は、候補エリアの数に基づいて無効領域Ｒ２の透過率を変更してもよい。この場合、候補エリアが多い程動体被写体を撮影する可能性が高くなるので、設定されている候補エリアの数が多い程、制御回路１０１は無効領域Ｒ２の透過率を高く設定すればよい。たとえば９か所の焦点検出エリアが候補エリアとして設定されている場合には、制御回路１０１は無効領域Ｒ２の透過率を有効領域Ｒ１の３０パーセントとなるように設定する。また、たとえば２０か所の候補エリアが設定されている場合には、制御回路１０１は無効領域Ｒ２の透過率を有効領域Ｒ１の５０パーセントとなるように設定する。換言すると、候補エリアが設定された数に応じて、制御回路１０１は無効領域Ｒ２の透過率への寄与度を決定する。この結果、ユーザは背景を確認して、動体被写体の動きに対応した構図を容易に決定できる。
【００４７】
（５）ＡＦモードがＡＦ−Ａモードに設定されている場合、制御回路１０１は無効領域Ｒ２の透過率は高透過率と低透過率の中間の透過率に設定してもよい。なお、ＡＦ−Ａモードは、ＡＦ−ＳとＡＦ−Ｃとを自動的に切換えるＡＦモードである。ＡＦ−Ａモードでは、ユーザにより半押し操作が行われると、焦点検出回路１１６は焦点検出エリアに重なる被写体でフォーカシングレンズを合焦位置に駆動させ、合焦位置でフォーカシングレンズの駆動をいったん固定させる。その後、被写体が動き出し、デジタルカメラ１と被写体との距離が変わった場合には、焦点検出回路１１６は自動的にＡＦ−Ｃにより被写体にピントを合わせ続ける。
【００４８】
（６）ダイナミックＡＦエリアモードが設定されているとき、動体被写体がすべての焦点検出エリアよりもさらに外部に移動した場合、すなわち刻線２０１の外部に移動した場合、制御回路１０１は、無効領域Ｒ２の透過率を高透過率よりもさらに高い透過率に設定してもよい。
（７）制御回路１０１は、ＡＦ−Ｃが設定されている場合に無効領域Ｒ２を高透過率に設定してもよい。また、制御回路１０１は、ダイナミックＡＦエリアモードが設定されている場合に、無効領域Ｒ２を高透過率に設定してもよい。
【００４９】
−第２の実施の形態−
図面を参照して、本発明によるデジタルカメラの第２の実施の形態を説明する。以下の説明では、第１の実施の形態と同じ構成要素には同じ符号を付して相違点を主に説明する。特に説明しない点については、第１の実施の形態と同じである。本実施の形態では、ユーザにより設定されたシーンモードに応じて無効領域の透過率を異ならせる点で、第１の実施の形態と異なる。
【００５０】
第２の実施の形態においては、無効領域Ｒ２の透過率を図４（ｂ）に示す低透過率と、図４（ｃ）に示す高透過率とに加えて、標準透過率にも設定可能に構成されている。図４（ｄ）に標準透過率が設定された場合の無効領域Ｒ２を模式的に示す。標準透過率は、図４（ｂ）における低透過率と、図４（ｃ）に示す高透過率との中間程度の透過率であり、有効領域Ｒ１の透過率を１００パーセントとした場合、標準透過率としてたとえば５０パーセントに設定される。図４（ｄ）においては、無効領域Ｒ２に付した斜線の間隔を、図４（ｂ）に示す斜線の間隔と図４（ｃ）に示す斜線の間隔との中間程度の間隔で表すことにより、高透過率と低透過率との中間程度の透過率であることを模式的に示している。
【００５１】
制御回路１０１は、被写体の動きに関するシーンモード、すなわちユーザによる撮影モードダイヤル１３７の設定操作により静止被写体の撮影に適したシーンモードがモード設定回路１１８によって設定されている場合に、静止被写体の撮影であると判定する。すなわち、シーンモードとしてクローズアップモードが設定されている場合に、制御回路１０１は、スーパーインポーズ表示制御回路１１０に指令して、拡散型液晶１２３の無効領域Ｒ２に対応する領域の透過率を低透過率となるように設定させる。この場合、スーパーインポーズ表示制御回路１１０は、拡散型液晶１２３の無効領域Ｒ２に対応する領域に低い電圧を印加する。その結果、図４（ｂ）に示すように無効領域Ｒ２の透過率が低くなり、ユーザは背景を気にすることなく有効領域Ｒ１内の被写体の構図決定、および撮影に集中できる。
【００５２】
制御回路１０１は、被写体の動きに関するシーンモード、すなわちユーザによる撮影モード選択ダイヤル１３７の設定操作により動体被写体の撮影に適したシーンモードがモード設定回路１１８によって設定されている場合に、動体被写体の撮影であると判定する。すなわち、シーンモードとしてスポーツモードやペット撮影モードが設定されている場合に、制御回路１０１は、スーパーインポーズ表示制御回路１１０に指令して、拡散型液晶１２３の無効領域Ｒ２に対応する領域の透過率を高透過率となるように設定させる。この場合、スーパーインポーズ表示制御回路１１０は、拡散型液晶１２３の無効領域Ｒ２に対応する領域に高い電圧を印加する。その結果、図４（ｃ）に示すように、無効領域Ｒ２の透過率が高くなり、ユーザによる背景の確認が容易になる。
【００５３】
制御回路１０１は、シーンモードとして、上述したクローズアップモード、スポーツモードおよびペット撮影モードとは異なるシーンモードが設定されている場合には、動体被写体および静止被写体のいずれの撮影でもないものと判定する。この場合、制御回路１０１は、スーパーインポーズ表示制御回路１１０に指令して、拡散型液晶１２３の無効領域Ｒ２に対応する領域の透過率を標準透過率となるように設定させる。すなわち、スーパーインポーズ表示制御回路１１０は、拡散型液晶１２３の無効領域Ｒ２に対応する領域に、高透過率を設定する場合の高い電圧と、低透過率を設定する場合の低い電圧との中間の電圧を印加する。
【００５４】
図７に示すフローチャートを用いて、第２の実施の形態によるデジタルカメラ１の無効領域の透過率設定処理について説明する。図７の各処理は制御回路１０１でプログラムを実行して行われる。図７の各処理を行なうプログラムはメモリ（不図示）に格納されている。ユーザにより電源ボタンが操作されると制御回路１０１によりプログラムが起動され、実行される。
【００５５】
ステップＳ３０１においては、クロップ撮影モードが設定されているか否かを判定する。クロップ撮影モードが設定されている場合には、ステップＳ３０１が肯定判定されてステップＳ３０２へ進む。クロップ撮影モードが設定されていない場合には、ステップＳ３０１が否定判定されて処理を終了する。
【００５６】
ステップＳ３０２においては、シーンモードとしてスポーツモードやペット撮影モードのような動体被写体を撮影するシーンモードが設定されているか否かを判定する。動体被写体を撮影するシーンモードが設定されている場合には、ステップＳ３０２が肯定判定されてステップＳ３０３へ進む。ステップＳ３０３では、スーパーインポーズ表示制御回路１１０に指令して、拡散型液晶１２３の無効領域Ｒ２に対応する領域の透過率を高透過率となるように設定させて処理を終了する。この結果、スーパーインポーズ表示制御回路１１０は、拡散型液晶１２３の無効領域Ｒ２に対応する領域に高い電圧を印加するので、無効領域Ｒ２の透過率が高くなる。
【００５７】
動体被写体を撮影するシーンモードが設定されていない場合には、ステップＳ３０２が否定判定されてステップＳ３０４へ進む。ステップＳ３０４では、シーンモードとしてクローズアップモード、すなわち静止被写体を撮影するシーンモードが設定されているか否かを判定する。クローズアップモードが設定されている場合には、ステップＳ２０４が肯定判定されてステップＳ３０５へ進む。ステップＳ３０５では、スーパーインポーズ表示制御回路１１０に指令して、拡散型液晶１２３の無効領域Ｒ２に対応する領域の透過率を低透過率となるように設定させて処理を終了する。この結果、スーパーインポーズ表示制御回路１１０は、拡散型液晶１２３の無効領域Ｒ２に対応する領域に低い電圧を印加するので、無効領域Ｒ２の透過率が低くなる。
【００５８】
静止被写体を撮影するシーンモードが設定されていない場合、クローズアップモード、スポーツモードおよびペット撮影モードのいずれも設定されていない場合には、ステップＳ３０４が否定判定されてステップＳ３０６へ進む。ステップＳ３０６では、スーパーインポーズ表示制御回路１１０に指令して、拡散型液晶１２３の無効領域Ｒ２に対応する領域の透過率を標準透過率となるように設定させて処理を終了する。この結果、スーパーインポーズ表示制御回路１１０は、拡散型液晶１２３の無効領域Ｒ２に対応する領域に、高透過率を設定する場合の高い電圧と、低透過率を設定する場合の低い電圧との中間の電圧を印加するので、無効領域Ｒ２の透過率が高透過率と低透過率の中間程度に設定される。
【００５９】
以上で説明した第２の実施の形態のデジタルカメラによれば、第１の実施の形態により得られた作用効果（１）に加えて、以下の作用効果が得られる。
（１）制御回路１０１は、移動している被写体の撮影に最適な撮影条件が設定されるスポーツモードやペット撮影モードが設定されている場合には、無効領域Ｒ２を高透過率に設定し、静止している被写体の撮影に最適な撮影条件が設定されるクローズアップモードが設定されている場合には、無効領域Ｒ２を低透過率に設定するようにした。その結果、ユーザは設定したシーンモードに応じて有効領域Ｒ１の周辺部を確認しつつ構図を決定したり、周辺部の影響を受けず有効領域Ｒ１内の被写体に集中して撮影を行うことが可能になる。
【００６０】
（２）スポーツモードやペット撮影モード、クローズアップモードとは異なるシーンモードが設定されている場合には、制御回路１０１は、無効領域Ｒ２の透過率を高透過率と低透過率との中間の標準透過率に設定するようにした。すなわち、動体被写体の撮影する場合や静止被写体を撮影する場合とは限らないような場合には、無効領域Ｒ２が極端に明るくなったり極端に暗くなったりすることで、ユーザの構図確認や撮影の妨げになることを防ぐことができる。
【００６１】
以上で説明した第１および第２の実施の形態のデジタルカメラを、次のように変形できる。
（１）拡散型液晶１２３の無効領域Ｒ２の透過率を変更するものに代えて、制御回路１０１は、背面液晶モニタ１３５に表示されたライブビュー画像のうち、無効領域Ｒ２に対応する領域に、色を重畳して表示させてもよい。この場合、制御回路１０１は、動体被写体を撮影する場合には、たとえば灰色の色を重畳して、ユーザにより背景が透けて確認可能となるように背面液晶モニタ１３５を制御し、静止被写体を撮影する場合には、たとえば黒色を重畳して、ユーザにより背景を視認しにくくなるように背面液晶モニタ１３５を制御すればよい。
【００６２】
（２）装着された交換レンズ２００がズームレンズの場合には、制御回路１０１は、交換レンズ２００の焦点距離に応じて無効領域Ｒ２の透過率を変更してもよい。この場合、制御回路１０１は、不図示のマウントを介して入力した信号に基づいて、交換レンズ２００のズームが広角側に設定されていると判定した場合には、無効領域Ｒ２を低透過率に設定する。また、制御回路１０１は、交換レンズ２００のズームが望遠側に設定されていると判定した場合には、無効領域Ｒ２を高透過率に設定すればよい。この結果、カメラボディ１００を少し動かしただけでも構図が大きく変化する望遠側に設定されている場合には、無効領域Ｒ２の透過率が高くなり、ユーザによる背景の確認が容易になる。
【００６３】
また、本発明の特徴を損なわない限り、本発明は上記実施の形態に限定されるものではなく、本発明の技術的思想の範囲内で考えられるその他の形態についても、本発明の範囲内に含まれる。説明に用いた実施の形態および変形例は、それぞれを適宜組合わせて構成しても構わない。
【符号の説明】
【００６４】
１０１  制御回路、  １１０  スーパーインポーズ表示制御回路、
１２３  拡散型液晶
【図１】
2012181323.tif 000003
【図２】
2012181323.tif 000004
【図３】
2012181323.tif 000005
【図４】
2012181323.tif 000006
【図５】
2012181323.tif 000007
【図６】
2012181323.tif 000008
【図７】
2012181323.tif 000009